【手続補正書】
【提出日】平成25年4月17日(2013.4.17)
【手続補正１】
【補正対象書類名】特許請求の範囲
【補正対象項目名】全文
【補正方法】変更
【補正の内容】
【特許請求の範囲】
【請求項１】
壁構造物であって、
互いに並列に配置された下水平トラックと上水平トラックであって、下および上水平トラックの各々は、
対向する長手方向縁部を画定するウェブと、
ウェブの対向する長手方向縁部から直交する方向に延在し、かつ互いに平行をなす１対の側壁と、
垂直スタッド部材であって、
下遠位端部および上遠位端部を画定する固定部であって、下遠位端部は下水平トラックに取り付けられ、固定部はウェブおよび幅のある１対の側壁を有する、固定部と、
下遠位端部および上遠位端部を画定する伸縮部であって、上遠位端部は上水平トラックに取り付けられ、伸縮部の下遠位端部は固定部の上遠位端部によって取り囲まれ、かつ、固定部の上遠位端部と伸縮自在に係合し、伸縮部はウェブおよび１対の側壁を有し、伸縮部の側壁の各々は固定部の側壁の幅とほぼ同じ幅を有するとともに伸縮部を固定部内で伸縮可能とし、１対の側壁の少なくとも一方の外側には伸縮部の長さ方向に沿って延在し、かつ、伸縮部の側壁の少なくとも一方の幅とほぼ同じ幅を有する凹部を有する、伸縮部と、を設けた垂直スタッド部材と、
垂直スタッド部材の側部に隣接して配置される乾式壁と、
乾式壁の厚さと、固定部の側壁の厚さと、伸縮部の１対の側壁の少なくとも一方の外側に形成された凹部の深さとの和よりも小さい長さを有する留め具であって、固定部の乾式壁および側壁に係合され伸縮部の側壁には取り付けられない、留め具と、を備え、
留め具を伸縮部に対して不注意に固定することなく、凹部に配置された留め具の先端によって固定部の任意の垂直位置において留め具を締結できるように、かつ、凹部に配置された留め具の先端によって固定部の任意の垂直位置において留め具を締結すると、伸縮部が天井から床までの高さの変動中に凹部の長さ方向にわたって固定部内で伸縮できるように、凹部は固定部に対して配置される、壁構造物。
【請求項２】
前記凹部は伸縮部の実質的長さまたは全長に沿って延在する、請求項１に記載の壁構造物。
【請求項３】
前記伸縮部は、
対向する長手方向縁部を有するウェブと、
前記長手方向縁部から延在する側壁であって、各側壁はウェブと同一平面になるセットバック部と、セットバック部と垂直な下部と、下部との鈍角を画定する遠位端部とを有する、長手方向縁部から延在する側壁と、
を備える金属薄板からなる、請求項１に記載の壁構造物。
【請求項４】
前記下および上水平トラックの各々は、
１対の側壁内にその側壁の長手方向に沿って形成された内側に向く突出部をさらに備え、
垂直スタッド部材は、
下水平トラックの内側に向く突出部によって、下水平トラックの中に受け入れられる固定部の下遠位端部に形成された内側に向く凹部と、
前記上水平トラックの内側に向く突出部によって、上水平トラックの中に受け入れられる伸縮部の上遠位端部に形成されたノッチと、
をさらに備える、
請求項３に記載の壁構造物。
【請求項５】
前記伸縮部のノッチは、ウェブと、セットバック部と、底部と、遠位端部とによって形成される、請求項４に記載の壁構造物。
【請求項６】
前記上水平トラックのウェブは上水平トラックの長手方向縁部に対して直交する方向に形成された突起の複数の列を有し、伸縮部のウェブは上水平トラックのウェブに形成された突起の隣接する列の間に配置される、請求項４に記載の壁構造物。
【請求項７】
前記下水平トラックのウェブは下水平トラックの長手方向縁部に対して直交する方向に形成された突起の複数の列を有し、固定部のウェブは下水平トラックのウェブに形成された突起の隣接する列の間に配置される、請求項４に記載の壁構造物。
【請求項８】
壁構造物を組み立てる方法であって、
上トラックを天井に取り付けるステップと、
前記上トラックの真下に位置する下トラックを床に取り付けるステップと、
垂直スタッドの伸縮部を前記垂直スタッドの固定部に挿入して重複部を画定するステップであって、固定部はウェブおよび幅のある１対の側壁を有し、伸縮部はウェブおよび１対の側壁を有し、伸縮部の側壁の各々は固定部の側壁の幅とほぼ同じ幅を有するとともに伸縮部を固定部内で伸縮可能とし、１対の側壁の少なくとも一方の外側には伸縮部の長さ方向に沿って延在し、かつ、伸縮部の側壁の少なくとも一方の幅とほぼ同じ幅を有する凹部を有するステップと、
前記固定部の下遠位端部を下トラックに配置するステップと、
前記伸縮部を延在させて、前記伸縮部の上遠位端部を前記上トラックに当接させるステップと、
前記伸縮部を上トラックに係合し、前記固定部を下トラックに係合するステップと、
乾式壁を前記垂直スタッドに当接させるステップと、
前記重複部において、前記乾式壁を留め具で前記固定部のみに締結するステップであって、留め具は、乾式壁の厚さと、固定部の側壁の厚さと、伸縮部の１対の側壁の少なくとも一方の外側に形成された凹部の深さとの和よりも小さい長さを有するステップと、
伸縮部が天井から床までの高さの変動中に固定部内で伸縮できるように、前記留め具の先端は伸縮部の側壁の凹部内に配置され、
留め具を伸縮部に対して不注意に固定することなく、固定部の任意の垂直位置において留め具を締結できるように、かつ、固定部の任意の垂直位置において留め具を締結すると、伸縮部が天井から床までの高さの変動中に凹部の長さ方向にわたって固定部内で伸縮できるように、凹部は固定部に対して配置される、方法。
【請求項９】
固定された第１および第２の水平トラックと乾式壁とを有する壁構造物の伸縮垂直スタッド部材であって、
第１の水平トラックに対して取付け可能であって、かつ、対向する長手方向縁部と、対向する長手方向縁部から延在する対向する側壁とを画定するウェブを有する伸縮部であって、対向する側壁の少なくとも一方の外側には側壁の全長または実質的な長さに沿って伸びる凹部を有する、伸縮部と、
第２の水平トラックに対して取付け可能であって、かつ、対向する長手方向縁部と、対向する長手方向縁部から延在する対向する側壁とを画定するウェブを有する固定部であって、固定部の側壁は幅を有し、固定部のウェブおよび対向する側壁は前記伸縮部の一部分を取り囲む、固定部と、を備え、
伸縮部の１対の側壁の各々は固定部の側壁の幅とほぼ同じ幅を有するとともに、伸縮部を固定部内で伸縮可能とし、
前記凹部は、伸縮部の側壁の少なくとも一方の幅とほぼ同じ幅を有し、
乾式壁の厚さと、固定部の側壁の厚さと、伸縮部の１対の側壁の少なくとも一方の外側に形成された凹部の深さとの和よりも小さい長さを有する留め具が、乾式壁および固定部に締結されると、留め具の先端は、伸縮部が天井から床までの高さの変動中に前記固定部に出入りするように、伸縮部の側壁の凹部内に配置され、
留め具を伸縮部に対して不注意に固定することなく、凹部に配置された留め具の先端によって固定部の任意の垂直位置において留め具を締結できるように、かつ、凹部に配置された留め具の先端によって固定部の任意の垂直位置において留め具を締結すると、伸縮部が天井から床までの高さの変動中に凹部の長さ方向にわたって固定部内で伸縮できるように、凹部は固定部に対して配置される、伸縮垂直スタッド部材。
【請求項１０】
前記凹部は、
前記伸縮部のウェブから直交する方向に延在する底部と、
前記底部に取り付けられて底部と鈍角をなす遠位端部と、
を備える、請求項９に記載の伸縮垂直スタッド部材。